(57)【要約】【課題】スイング全体を反映させた、より詳細なシャフトスペックに基づきフィッティングするにあたって、ユーザ自身のスイングの傾向を容易に視認することができる、ゴルフクラブのシャフトの分析表示装置、及び分析表示プログラムを提供する。【解決手段】本発明に係るゴルフクラブのシャフトの分析表示装置は、ユーザによるゴルフクラブのスイング動作をサンプリングしたサンプリングデータを取得する取得部と、前記サンプリングデータを用い、前記シャフトの軸方向の複数位置について当該シャフトの曲げ剛性に基づいて決定される剛性指標を含むユーザシャフト剛性データを算出する算出部と、前記シャフトの軸方向の複数位置と前記剛性指標との関係が予め決定された複数のモデルシャフト剛性データを記憶する記憶部と、前記ユーザシャフト剛性データと最も関連性の高い前記モデルシャフト剛性データを選択し、当該モデルシャフト剛性データを表すモデル図を表示する第１画面を作成する画面作成部とを備えている。【選択図】図６
2014121412.tif 000002
【特許請求の範囲】
【請求項１】
ユーザによるゴルフクラブのスイング動作をサンプリングしたサンプリングデータを取得する取得部と、
前記サンプリングデータを用い、前記シャフトの軸方向の複数位置について当該シャフトの曲げ剛性に基づいて決定される剛性指標を含むユーザシャフト剛性データを算出する算出部と、
前記シャフトの軸方向の複数位置と前記剛性指標との関係が予め決定された複数のモデルシャフト剛性データを記憶する記憶部と、
前記ユーザシャフト剛性データと最も関連性の高い前記モデルシャフト剛性データを選択し、当該モデルシャフト剛性データを表すモデル図を表示する第１画面を作成する画面作成部と
を備えている、ゴルフクラブのシャフトの分析表示装置。
【請求項２】
前記モデル図は、前記シャフトの軸方向の位置と前記剛性指標との関係を示す折れ線グラフである、請求項１に記載のゴルフクラブのシャフトの分析表示装置。
【請求項３】
前記画面作成部は、前記第１画面に、ユーザースイング特徴と前記モデルシャフト剛性データの説明の少なくとも一方をさらに表示する、請求項１または２に記載のゴルフクラブのシャフトの分析表示装置。
【請求項４】
前記記憶部は、前記ユーザシャフト剛性データと対応する、複数のゴルフクラブのシャフトのフレックスを含むフレックスデータを記憶し、
前記画面作成部は、前記フレックスデータから、前記算出部で算出されたユーザシャフト剛性データと対応するフレックスを表示する第２画面を作成する、請求項１から３のいずれかに記載のゴルフクラブのシャフトの分析表示装置。
【請求項５】
前記画面作成部は、
前記最も関連性の高い前記モデルシャフト剛性データを、前記シャフトの軸方向の複数位置に対して前記剛性指標が分布するように表示するモデルデータ分布図と、
前記ユーザシャフト剛性データを、前記シャフトの軸方向の複数位置に対して前記剛性指標が分布するように表示するユーザデータ分布図と、
の少なくとも一方が表示された第３画面を作成する、請求項１から４のいずれかに記載のゴルフクラブのシャフトの分析表示装置。
【請求項６】
前記画面作成部は、
前記モデルデータ分布図と、前記ユーザデータ分布図とを重ね合わせて表示した前記第３画面を作成する、請求項５に記載のゴルフクラブのシャフトの分析表示装置。
【請求項７】
ユーザから、前記第１画面と第３画面の切り替えの入力を受け付ける入力部をさらに備え、
前記画面作成部は、前記入力部からの入力を受け付けると、前記第１画面と第３画面とを切り替えていずれか一方を表示する、請求項５または６に記載のゴルフクラブのシャフトの分析表示装置。
【請求項８】
前記サンプリングデータは、前記ゴルフクラブのグリップの３軸回りの角速度を含み、
前記算出部は、前記角速度に基づいて、コック方向の角速度、手の甲方向の角速度、及びローテーションの角速度の少なくとも１つを含むユーザ角速度データを算出し、
前記画面作成部は、前記ユーザ角速度データを前記角速度が分布したユーザ速度分布図として表示する第４画面を作成する、請求項１から７のいずれかに記載のゴルフクラブのシャフトの分析表示装置。
【請求項９】
前記取得部は、３軸回りの角速度を計測可能なセンサがグリップに取り付けられたゴルフクラブでゴルフボールを打撃したときの前記センサからの計測値をサンプリングデータとして取得し、
前記算出部は、
前記計測値からスイングにおけるアドレス、トップ及びインパクトの決定と、
前記計測値から得られる以下の（１）〜（４）のスイング特徴量を用いた、前記ユーザシャフト剛性データの算出と、
を行う、請求項１から８のいずれかに記載のゴルフクラブのシャフトの分析表示装置。
（１）トップ付近でのコック方向のグリップ角速度の変化量
（２）トップから、ダウンスイング途中であってコック方向のグリップ角速度が最大となるときまでの当該コック方向のグリップ角速度の平均値
（３）ダウンスイング途中であってコック方向のグリップ角速度が最大となるときから、インパクトまでの当該コック方向のグリップ角速度の平均値
（４）トップからインパクトまでのコック方向のグリップ角速度の平均値
【請求項１０】
コンピュータが、
ユーザによるゴルフクラブのスイング動作をサンプリングしたサンプリングデータを取得するステップと、
前記サンプリングデータを用い、前記シャフトの軸方向の複数位置について当該シャフトの曲げ剛性に基づいて決定される剛性指標を含むユーザシャフト剛性データを算出するステップと、
前記シャフトの軸方向の複数位置と前記剛性指標との関係が予め決定された複数のモデルシャフト剛性データから、前記ユーザシャフト剛性データと最も関連性の高い前記モデルシャフト剛性データを選択し、当該モデルシャフト剛性データを表すモデル図を表示する第１画面を作成するステップと、
を実行させる、ゴルフクラブのシャフトの分析表示プログラム。
【発明の詳細な説明】
【技術分野】
【０００１】
本発明は、ゴルフクラブのシャフトの分析表示装置、及び分析表示プログラムに関する。
【背景技術】
【０００２】
ゴルファーにとってボールの飛距離を延ばすとともにボールを狙った方向・角度に飛ばすことは永遠のテーマである。そのためには、自身のスイングに合ったゴルフクラブを使用することが重要である。
【０００３】
ゴルファーに合ったゴルフクラブを選定することは一般にフィッティングと称されている。このフィッティングを効果的に行うためには、ゴルフクラブの全重量、クラブヘッドの重量、ゴルフクラブの長さなど穫々のファクターを考慮する必要があるが、とりわけ、ゴルフクラブのシャフトの物性がフィッティングの良否に大きく影響する。
【０００４】
例えば、シャフトの物性の一つとしてフレックがある。このフレックスは、シャフトの硬さ（曲げ剛性）を表しており、順式フレックスは、図１７に示されるように、シャフト２０のチップ端２０ａから１２９ｍｍの点を荷重点Ｗ1とし、この荷重点Ｗ1からシャフト２０のバット端側に８２４ｍｍの点を支点Ａとし、この支点Ａからバット端側に１４０ｍｍの位置を作用点Ｂとして、前記荷重点Ｗ1に２．７ｋｇｆの荷重Ｗｔを掛けたときの前記チップ端２０ａの変位量である。この変位量Ｆ１（この値を順式フレックスという）に対して、或る値ｆ１〜或る値ｆ２までのものをＸシャフトとするなどの定義によりフレックスが定められている。
【０００５】
一般に、フレックスは、ヘッド速度の大小に応じて適合する硬さが推奨されており、ヘッド速度が比較的遅いゴルファーには撓みやすいシャフトが勧められる一方、ヘッド速度が比較的速いゴルファーには硬いシャフトが勧められる。しかし、このフレックスは、統−された規格がなく、メーカー毎に異なる基準で定められている。そして、適合するフレックスの値の選定は、フィッティングを行う者（フイッター）の経験と勘に頼ることが多く、選定結果は客観的ではなく個人差がある。
【０００６】
また、他のシャフトの物性として調子がある。この調子は、図１８に示されるように、シャフト２０のチップ端２０ａから１２ｍｍの位置を作用点Ｃとし、この作用点Ｃからシャフト２０のバット端側に１４０ｍｍの点を支点Ｄとし、この支点Ｄからバット端側に７７６ｍｍの点を荷重点Ｗ2として、当該荷重点Ｗ2に１．３ｋｇｆの荷重Ｗｔを掛けたときのバット２０ｂの変位量Ｆ２（この値を逆式フレックスという）を求め、このＦ２と前述したＦ１（順式フレックス）の値から次の式（１）にしたがいＴを計算し、このＴの値の大小で先調子なのか、又は手元調子なのかを決めている。この調子を用いたゴルフクラブの選定についても、前述したフレックスを用いる場合と同じく、フィッティングを行う者の経験と勘に頼らざるを得ず、選定結果は客観的ではなく個人差がある。
Ｔ＝Ｆ２／（Ｆ１＋Ｆ２）×１００    ・・・・・・（１）
【０００７】
そこで、フィッティングに際し、ゴルファーに実際にスイングをしてもらい、そのスイングの計測結果からフィッティングを行うことが提案されている（例えば、特許文献１〜２参照）。
【０００８】
特許文献１には、ゴルフスイングにおいて用いるゴルフクラブのゴルフクラブモデルを生成するモデル生成ステップと、ゴルフクラブモデルを用いてゴルフスイングを再現するために、ゴルフクラブモデルに所定の境界条件を与えてゴルフクラブモデルのスイング挙動を演算し、ゴルフスイングにおけるゴルフクラブモデルの所望の動的特性値を算出する特性値算出ステップと、この特性値算出ステップを、生成されるゴルフクラブモデルの種類を変えながら繰り返し行うことで複数のゴルフクラブモデルそれぞれについて動的特性値を求める繰り返しステップと、この繰り返しステップで求められた複数の動的特性値のうち、動的特性伎の最大値及び最小値を抽出し、当該最大値と最小値との差に基づいて、ゴルフスイングの特徴を分頚して評価するスイング評価ステップとを有する、ゴルフスイングの評価方法が開示されている。
【０００９】
また、特許文献２は、クラウン部に、ゴルフクラブシャフトが装着されるホーゼル部が設けられたゴルフクラブヘッドを有するゴルフクラブのスイング評価方法であって、前記ゴルフクラブヘッドを水平面に設置した状態において、ゴルフクラブシャフトの軸線を含むとともに、水平面に対して直交する平面と、ゴルフクラブヘッドのクラウン部とが交わる交線上における少なくとも１０ｍｍ離れた２点について、ゴルフクラブのスイング時の速度をそれぞれ計測し、前記各点の速度に基づいてスイングを評価するスイングの評価方法が開示されている。
【先行技術文献】
【特許文献】
【００１０】
【特許文献１】特開２００６−２３０４６６号公報
【特許文献２】特開２００９−１８０４３号公報
【発明の概要】
【発明が解決しようとする課題】
【００１１】
しかしながら、特許文献１記載の方法では、用いる装置が大型であり、設置場所が限られる。また、大規模な演算装置が必要であり、コストが高くつくという問題がある。また、特許文献２記載の方法では、スイングの評価をインパクトだけで行っており、アドレスからトップを経てインパクトに至るスイング全体の特徹を反映させたものではない。したがって、ゴルファーのスイングに適合したシャフトを選定できないことがあり、改良が望まれていた。また、このようなシャフトの選定にあたっては、ゴルファー自身のスイングを測定するのであるが、測定されたスイングの傾向を、ユーザ自身が知りたいという要望もある。
【００１２】
本発明は、上記問題を解決するためになされたものであり、スイング全体を反映させた、より詳細なシャフトスペックに基づきフィッティングするにあたって、ユーザ自身のスイングの傾向を容易に視認することができる、ゴルフクラブのシャフトの分析表示装置、及び分析表示プログラムを提供することを目的とする。
【課題を解決するための手段】
【００１３】
本発明に係るゴルフクラブのシャフトの分析表示装置は、ユーザによるゴルフクラブのスイング動作をサンプリングしたサンプリングデータを取得する取得部と、前記サンプリングデータを用い、前記シャフトの軸方向の複数位置について当該シャフトの曲げ剛性に基づいて決定される剛性指標を含むユーザシャフト剛性データを算出する算出部と、前記シャフトの軸方向の複数位置と前記剛性指標との関係が予め決定された複数のモデルシャフト剛性データを記憶する記憶部と、前記ユーザシャフト剛性データと最も関連性の高い前記モデルシャフト剛性データを選択し、当該モデルシャフト剛性データを表すモデル図を表示する第１画面を作成する画面作成部と
を備えている。
【００１４】
上記分析表示装置において、前記モデル図は、前記シャフトの軸方向の位置と前記剛性指標との関係を示す折れ線グラフとすることができる。
【００１５】
上記分析表示装置において、前記画面作成部は、前記第１画面に、ユーザースイング特徴と前記モデルシャフト剛性データの説明の少なくとも一方をさらに表示することができる。
【００１６】
上記分析表示装置において、前記記憶部は、前記ユーザシャフト剛性データと対応する、複数のゴルフクラブのシャフトのフレックスを含むフレックスデータを記憶し、前記画面作成部は、前記フレックスデータから、前記算出部で算出されたユーザシャフト剛性データと対応するフレックスを表示する第２画面を作成することができる。
【００１７】
上記分析表示装置において、前記画面作成部は、前記最も関連性の高い前記モデルシャフト剛性データを、前記シャフトの軸方向の複数位置に対して前記剛性指標が分布するように表示するモデルデータ分布図と、前記ユーザシャフト剛性データを、前記シャフトの軸方向の複数位置に対して前記剛性指標が分布するように表示するユーザデータ分布図と、の少なくとも一方が表示された第３画面を作成することができる。
【００１８】
このとき、前記画面作成部は、前記モデルデータ分布図と、前記ユーザデータ分布図とを重ね合わせて表示した前記第３画面を作成することができる。
【００１９】
上記分析表示装置においては、ユーザから、前記第１画面と第３画面の切り替えの入力を受け付ける入力部をさらに備え、前記画面作成部は、前記入力部からの入力を受け付けると、前記第１画面と第３画面とを切り替えていずれか一方を表示することができる。
【００２０】
上記分析表示装置において、前記サンプリングデータは、前記ゴルフクラブのグリップの３軸回りの角速度を含み、前記算出部は、前記角速度に基づいて、コック方向の角速度、手の甲方向の角速度、及びローテーションの角速度の少なくとも１つを含むユーザ角速度データを算出し、前記画面作成部は、前記ユーザ角速度データを前記角速度が分布したユーザ速度分布図として表示する第４画面を作成することができる。
【００２１】
上記分析表示装置において、前記取得部は、３軸回りの角速度を計測可能なセンサがグリップに取り付けられたゴルフクラブでゴルフボールを打撃したときの前記センサからの計測値をサンプリングデータとして取得し、前記算出部は、前記計測値からスイングにおけるアドレス、トップ及びインパクトの決定と、前記計測値から得られる以下の（１）〜（４）のスイング特徴量を用いた、前記ユーザシャフト剛性データの算出と、を行うことができる。
（１）トップ付近でのコック方向のグリップ角速度の変化量
（２）トップから、ダウンスイング途中であってコック方向のグリップ角速度が最大となるときまでの当該コック方向のグリップ角速度の平均値
（３）ダウンスイング途中であってコック方向のグリップ角速度が最大となるときから、インパクトまでの当該コック方向のグリップ角速度の平均値
（４）トップからインパクトまでのコック方向のグリップ角速度の平均値
【００２２】
本発明に係るゴルフクラブのシャフトの分析表示プログラムは、コンピュータが、ユーザによるゴルフクラブのスイング動作をサンプリングしたサンプリングデータを取得するステップと、前記サンプリングデータを用い、前記シャフトの軸方向の複数位置について当該シャフトの曲げ剛性に基づいて決定される剛性指標を含むユーザシャフト剛性データを算出するステップと、前記シャフトの軸方向の複数位置と前記剛性指標との関係が予め決定された複数のモデルシャフト剛性データから、前記ユーザシャフト剛性データと最も関連性の高い前記モデルシャフト剛性データを選択し、当該モデルシャフト剛性データを表すモデル図を表示する第１画面を作成するステップと、を実行させる。
【００２３】
また、本発明に係るゴルフクラブのシャフトの分析表示方法は、ユーザによるゴルフクラブのスイング動作をサンプリングしたサンプリングデータを取得するステップと、前記サンプリングデータを用い、前記シャフトの軸方向の複数位置について当該シャフトの曲げ剛性に基づいて決定される剛性指標を含むユーザシャフト剛性データを算出するステップと、前記シャフトの軸方向の複数位置と前記剛性指標との関係が予め決定された複数のモデルシャフト剛性データから、前記ユーザシャフト剛性データと最も関連性の高い前記モデルシャフト剛性データを選択し、当該モデルシャフト剛性データを表すモデル図を表示する第１画面を作成するステップと、を備えている。
【発明の効果】
【００２４】
本発明では、ユーザのスイングをサンプリングしたデータに基づいて、シャフトの軸方向の複数位置について当該シャフトの曲げ剛性に基づいて決定される剛性指標を含むユーザシャフト剛性データを算出している。ユーザシャフト剛性データは、シャフトの剛性を単一の指標で表すのではなく、シャフトの軸方向の複数の位置での剛性を算出した複数の指標で表すため、ユーザのスイングの特徴をより詳細に捉えることができる。そして、本発明では、このような特徴を視認できるように、画面作成部で画面を作成する。
【００２５】
しかしながら、ユーザシャフト剛性データは、ユーザによってばらつきがあり、そのパターンは無限に存在する。したがって、このような無限のパターンの中から１つのパターンを見てもユーザは自身のシャフト剛性データの傾向を知ることは難しい。そこで、本発明では、予め規定された複数のモデルシャフト剛性データの中から、算出されたユーザシャフト剛性データに最も関連の高いものを選択し、これを表示する第１画面を作成している。このようにすると、予め規定された所定数のシャフト剛性データのうちから１つが表示されるため、ユーザ自身のスイングの傾向を容易に視認することができる。また、この装置の提供者は、表示されたモデルシャフト剛性データに基づいて、ユーザに適したシャフトを提案することができるという利点もある。
【図面の簡単な説明】
【００２６】
【図１】スイング中のシヤフトの僥みの挙動を説明する図である。
【図２】本発明のフィッティング方法において曲げ剛性が測定されるシヤフトの４つの位置を説明する図である。
【図３】本発明における曲げ剛性の測定方法を説明する図である。
【図４】本発明におけるスイング特徴量を計測する方法を説明する図である。
【図５】センサが取り付けられたゴルフクラブの一部拡大斜視図である。
【図６】分析表示装置の概略構成を示すブロック図である。
【図７】スイングにおけるアドレス及びテイクバックを示す図である。
【図８】スイングにおけるトップ及びダウンスイングを示す図である。
【図９】スイングにおけるダウンスイング及びインパクトを示す図である。
【図１０】スイングにおけるフォロースルー及びフィニッシュを示す図である。
【図１１】スイングにおけるコック方向の角速度の時間経過にしたがう変化を示す図である。
【図１２】第１画面を示す図である。
【図１３】モデルシャフト剛性データのモデル図の例を示す図である。
【図１４】第２画面を示す図である。
【図１５】第３画面を示す図である。
【図１６】第４画面を示す図である。
【図１７】順式フレックスの測定方法を説明する図である。
【図１８】逆式フレックスの測定方法を説明する図である。
【発明を実施するための形態】
【００２７】
以下、本発明に係るゴルフクラブのシャフトの分析表示装置の一実施形態について、図面を参照しつつ説明する。
【００２８】
［本実施形態に係るフィッティング方法の原理］
本実施形態に係る分析表示装置の説明する前に、本実施形態が対象とするフィッティング方法の原理ないし論理的背景について説明する。本発明者らは、ゴルフクラプのシャフトの曲げが、トップからインパクトに向けてスイングが進行するにしたがい当該シャフトの手元側から先端側に伝わることに着目した。そして、或るゴルファーのトップからインパクトまでの時間に伴うスイング特徴（スイング特徴の内容については後述する）と、当該ゴルファーにマッチしたシャフトのインチ毎の硬さとの間には相関関係があるという仮定のもと、鋭意研究・検討を重ねた結果、本発明を完成するに至った。
【００２９】
すなわち、ボールを打撃するときのゴルファーのスイングは、アドレス→トップ→インパクトと推移するが、その際、ゴルフクラブのシャフトは、当該ゴルフクラブの先端に比較的重量が大きいヘッドが存在するため、その慣性により曲げが生じる。この曲げは、スイングの全過程において、シャフトの同一箇所に生じるのではなく、図１に示されるように、トップからインパクトに向けてシャフトの手元側から先端側に伝わる。換言すれば、トップからインパクトに向けてスイングが進行するにしたがい、シャフトにおける曲げの位置が当該シャフトの手元側から先端側に移動する。
【００３０】
具体的に、アドレスからテイクバックを行い、トップに至った時点（図１において（１）で示される時点）では、シャフトの手元付近に曲げが生じる。ついで、切り返しを行い、ダウンスイング初期（図１において（２）で示される時点）に至ると、曲げはシャフトの先端側にやや移動する。さらに、ゴルファーの腕が水平になる時点（図１において（３）で示される時点）では、曲げはシャフト中央よりも先端側に移動する。そして、インパクト直前（図１において（４）で示される時点）では、曲げはシャフトの先端付近まで移動する。
【００３１】
このようにスイング時におけるシャフトの曲げが、トップからインパクトに向けてシャフトの手元側から先端側に伝わることに鑑み、本発明者は、前記時間帯（１）〜（４）におけるゴルファーのスイング特徴に着目し、シャフトのインチ毎に最適な曲げ剛性を選定することを試みた。
【００３２】
具体的に、図２に示されるように、シャフト２０を４つの領域に分割して、各領域中の１点の曲げ剛性を定義した。本実施形態では、シャフト２０のチップ端２０ａから３６インチの箇所を測定点（１）とし、２６インチの箇所を測定点（２）とし、１６インチの箇所を測定点（３）とし、６インチの箇所を測定点（４）としている。そして、シャフト２０の４つの測定点における曲げ剛性を計測し、数値化している。なお、本明細書においで、「インチ毎の」とは、１インチの、２インチの、・・・という意味ではなく、「シャフトの一端から所定インチの距離にある複数の箇所について、各箇所の」という意味であり、本実施形態における「所定インチ」とは、前述したようにシャフト２０のチップ端２０ａから３６インチ、２６インチ、１６インチ、６インチである。また、本実施形態では、シャフトの曲げ剛性を測定する４つの測定を、当該シャフトのチップ端から３６インチ、２６インチ、１６インチ、及び６インチとしているが、このインチ数は、本発明において特に限定されるものではなく、各インチ数に対して、±数インチの幅内で変更することが可能である。例えば、測定点（１）をシャフトのチップ端から３６±３インチとすることができる。
【００３３】
シャフトのインチ毎の曲げ剛性（ＥＩ値：Ｎ・ｍ2）は、例えばインテスコ社製の２０２０型計測機（最大荷重５００ｋｇｆ）を用いて図３に示されるようにして測定することができる。
【００３４】
具体的に、２つの支持点１１、１２においてシャフト２０を下方から支えつつ、測定点Ｐに上方から荷重Ｆを加えたときのたわみ量αを測定する。測定点Ｐは、本実施形態の場合、シャフト２０のチップ端２０ａから３６インチ、２６インチ、１６インチ及び６インチの４箇所である。支持点１１と支持点１２との間の距離（スパン）は２００ｍｍである。また、測定点Ｐは、支持点１１と支持点１２の中間点である。上方から荷重Ｆを加える圧子１３の先端は、シャフト２０を傷付けないように丸められている。圧子１３の先端の断面形状は、シャフト軸方向に平行な断面において、１０ｍｍの曲率半径を有している。シャフト軸方向に対して垂直な方向の断面において、圧子１３の先端の断面形状は直線であり、その長さは４５ｍｍである。
【００３５】
支持体１４は、支持点１１においてシャフト２０を下方から支持する。支持体１４の先端は、凸状の丸みを有している。支持体１４の先端の断面形状は、シャフト軸方向に対して平行な断面において１５ｍｍの曲率半径を有する。シャフト軸方向に対して垂直な断面において、支持体１４の先端の断面形状は直線であり、その長さは５０ｍｍである。支持体１５の形状は支持体１４と同一である。支持体１５は、支持点１２においてシャフト２０を下方から支持する。支持体１５の先端は、凸状の丸みを有している。支持体１５の先端の断面形状は、シャフト軸方向に対して平行な断面において１５ｍｍの曲率半径を有する。シャフト軸方向に対して垂直な断面において、支持体１５の先端の断面形状は直線であり、その長さは５０ｍｍである。
【００３６】
前述した支持体１４及び支持体１５を固定した状態で、圧子１３を５ｍｍ／ｍｉｎの速度で下方へ移動させる。そして、荷重Ｆが２０ｋｇｆに達した時点で圧子１３の移動を終了させる。圧子１３の移動を終了させた瞬間におけるシャフト２０のたわみ量α（ｍｍ）を測定し、以下の式（２）にしたがって曲げ剛性ＥＩ（Ｎ・ｍ２）を計算する。
曲げ剛性ＥＩ（Ｎ・ｍ2）＝３２．７／α                    （２）
【００３７】
そして、測定されたシャフトのインチ毎の曲げ剛性を指標としてフィッティングが行われる。インチ毎のシャフトの硬さ（曲げ剛性）は、トップからインパクトまでの時間に伴うスイング特徴と相関関係があり、個々のゴルファーにおける前記スイング特徴が分かれば、その特徴に合ったインチ毎のシャフトの硬さを決めることができる。スイング中のシャフトの曲げないし変形（たわみ量）は、前途したように、トップからダウンスイングにかけてシャフトの手元側から先端側に曲げが伝わっていく。本発明では、この曲げの伝わりに着目し、トップ付近のシャフトの撓み量がトップ付近のグリップの挙動（角速度）の速い遅いに関係があることから、この速度が速いゴルファーには硬めのシャフトを提供し、遅いゴルファーには軟らかめのシャフトを提供する。
【００３８】
本実施形態では、前述した方法によりインチ毎に測定されたシャフトの曲げ剛性に応じて複数段階のランク値のうちいずれかの値を付与している。具体的に、曲げ剛性に応じて１０段階のＩＦＣ（剛性指標）のうちいずれかの値を付与している。このＩＦＣは、Ｉｎｔｅｒｎａｔｉｏｎａｌ  Ｆｌｅｘ  Ｃｏｒｄ（インターナショナル・フレックス・コード）の略であり、シャフトの硬さを表すものとして本出願人により提案されている指標である。
【００３９】
以下の表１〜４は、それぞれ測定点（１）〜（４）におけるシャフトのＥＩ値からＩＦＣへの変換表である。シャフトの硬さを１０段階に分ける方法として、市販されている全てのシャフトを対象にして１０段階に分ける方法や、使用頻度などを考慮して、フィッターがユーザに提供しようとして用意したシャフトの範囲内で１０段階に分ける方法など、いくつかの方法が考えられるが、本実施形態では、後者の方法によりフィッティングを行っている。
【００４０】
【表１】
2014121412.tif 000003
【００４１】
【表２】
2014121412.tif 000004
【００４２】
【表３】
2014121412.tif 000005
【００４３】
【表４】
2014121412.tif 000006
【００４４】
＜スイング特微量＞
本実施形態では、図４に示されるように、ゴルフクラブのフィッティングを希望するゴルファーに実際にスイングをしてもらい、そのスイングから、当該ゴルファーに特有のスイング特徴量を計測している。ゴルフクラブ１のグリップエンドには、例えば図５に示されるように、３軸回りの角速度を計測することができるセンサ２が取り付けられている。センサ２は、両面テープ、接着剤、ねじ止めなどによりグリップエンドに固定することができる、図４に示される例では、ゴルファーＧは右利きであり、所定位置にセットされたボールＢを打撃するためのスイングを開始する直前のアドレス状態である。
【００４５】
センサ２は無線式であり、測定されたデータは、無線により、分析表示装置１０に内蔵された通信部（図示せず）に送信される。無線通信としては、例えばＢｌｕｅｔｏｏｔｈ（登録商標）の規格及び技術を用いることができる。
【００４６】
センサ２は、３軸方向（ｘ軸方向、ｙ軸方向、及びｚ軸方向）回りの角速度を計測することができる角速度センサ（図示せず）を内蔵している。センサ２は、更に、Ａ／Ｄ変換器、ＣＰＵ、無線インターフェース、無線アンテナ及び電源を備えている。電源としては、例えばボタン型のリチウムイオン電池などを用いることができる。電池は充電可能なものであってもよい。そして、センサ２は、電池を充電するための充電回路を備えていてもよい。使用可能なセンサ２の例としては、ワイヤレステクノロジー社製のＷＡＡ−０１０（商品名）をあげることができる。
【００４７】
なお、センサ２からの信号を受信する前記無線受信装置は、無線アンテナ、無線インターフェース、ＣＰＵ及びネットワークインターフェースを備えている。
【００４８】
次に、分析表示装置１０について説明する。図６は分析表示装置の概略構成を示すブロック図である。同図に示すように、分析表示装置１０は、出力部１０１、入力部１０２、記憶部１０３、制御部１０４、及び通信部（取得部）１０５を有している。そして、これらは、互いにバス線１０６で接続されており、相互に通信可能である。本実施形態では、出力部１０１を、液晶ディスプレイで構成することができ、後述する画面等をユーザーや分析装置の操作者に対し表示する。また、入力部１０２は、マウス、キーボード、タッチパネル等で構成することができ、分析表示装置１０に対するユーザからの操作を受け付ける。通信部１０５はセンサ２と通信するためのものであり、センサ２で計測されたデータを受信したり、センサ２の操作のための信号を送信するのに使用される。具体的には、無線アンテナ、無線インターフェースなどで構成される。また、このような分析表示装置１０としては、汎用のコンピュークがそのまま用いられてもよい。
【００４９】
記憶部１０３は、ハードディスク等の記憶装置から構成され、分析表示プログラム１０３１が格納されているほか、ソフトウェア管理領域１０３２が確保されている。ソフトウェア管理領域１０３２は、分析表示プログラム３２３１が使用する領域である。ソフトウェア管理領域１０３２内には、第１記憶部１０３２ａ、第２記憶部１０３２ｂなど確保されている。第１記憶部１０３２ａは、後述するように、モデルシャフト剛性データ、そのモデル図、及びフレックスデータが記憶される領域であり、第２記憶部１０３２ｂは後述するユーザシャフト剛性データが記憶される領域である。その他、記憶部１０３２には、センサや画面を操作するなど、計測や表示に必要なデータが記憶されており、これらのデータは、プログラムを実行する上で逐次参照される。なお、分析表示プログラムは、記憶部１０３２に予め格納しておくほか、光磁気ディスク、ＣＤ−ＲＯＭ，ＤＶＤ−ＲＯＭ，ブルーレイディスク、ＵＳＢメモリなどのコンピュータで読み取り可能な記憶媒体１１０に記憶されたものを、インストールすることで、制御部１０４によって実行することもできる。
【００５０】
また、制御部１０４は、ＣＰＵ、ＲＯＭおよびＲＡＭ等から構成することができる。制御部１０４は、記憶部１０３内に格納されている分析表示プログラム１０３１を読み出して実行することにより、図６に示すように、仮想的に算出部１０４１、画面作成部１０４２として動作し、例えば、センサ２から送信されたデータが処理される。算出部１０４１及び画面作成部１０４２の動作については、後述する。
【００５１】
センサ２は、ｘ軸、ｙ軸及びｚ軸の各軸回りの角速度を検知する。これらの角速度はアナログ信号として得られ、こめアナログ信号は、センサ２に内蔵されているＡ／Ｄ変換器によってデジタル信号に変換される。Ａ／Ｄ変換器からの出力はＣＰＵに伝達されて１次フィルタリングなどの演算処理が実行される。こうしてセンサ２内で処理されたデータ（サンプリングデータ）は、無線インターフェースを介して、無線アンテナから分析表示装置１０に内蔵された通信部１０５に送信される。
【００５２】
センサ２のグリップエンドヘの取付に際しては、計測軸とゴルフクラブ１との関係が考慮される。本実施形態では、センサ２のｚ軸がゴルフクラブ１のシャフト軸にー致している。センサ２のｘ軸は、ゴルフクラブ１のヘッド１ａのトゥーヒール方向に沿うように配向される。また、センサ２のｙ軸は、ヘッド１ａのフェース面の法線方向に沿うように配向される。このようにセンサ２を取り付けることで、演算を簡略化することができる。
【００５３】
本実施形態では、局座標系が考慮され、この局座標系のｘ軸、ｙ軸及びｚ軸は、三次元直交座標系である。本実施の形態では、ｚ軸が前記ゴルフクラブ１のシャフト軸とされ、ｘ軸は、ヘッド１ａのトゥーヒール方向に沿うように配向される。また、ｙ軸は、ヘッド１ａのフェース面の法線方向に沿うように配向される。
【００５４】
すなわち、局座標系のｚ軸は、センサ２のｚ軸に一致しており、局座標系のｙ軸は、センサ２のｙ軸に一致している。また、局座標系のｘ軸は、センサ２のｘ軸に一数している。
【００５５】
センサ２によって、時系列的に述続した複数のデータを得ることができる。単位時間当たりのデータ数は、サンプリング周波数に依存する。
【００５６】
図７〜図１０は、ゴルファーによるアドレスからフイニッシュまでのスイングを説明する図である。スイングには、インパクト後のフォロースルーが含まれるが、本実施形態では、アドレスからインパクトまでのスイングの特徴に着目している。
【００５７】
図７〜図１０は、ゴルファーを正面から見た図である。スイングの始まりはアドンスであり、スイングの終わりはフィニッシュと呼ばれている。スイングは、（Ｓ１）、（Ｓ２）、（Ｓ３）、（Ｓ４）、（Ｓ５）、（Ｓ６）、（Ｓ７）、（Ｓ８）の順で進行する。図７の（Ｓ１）がアドレスであり、（Ｓ２）がテイクバックである。図８の（Ｓ３）がトップ（トップオプスイング）である。通常、トップでは、スイング中におけるヘッドの移動速度が最小である。図８の（Ｓ４）はダウンスイングである。図９の（Ｓ５）もダウンスイングであるが、図８の（Ｓ４）よりもダウンスイングが進行した状態である。図９の（Ｓ６）はインパクトであり、ゴルフクラブ１のヘッド１ａとボールＢとが衝突した瞬間である。図１０の（Ｓ７）はフォロースルーであり、（Ｓ８）はフィニッシュである、フィニッシュで、スイングが終了する。
【００５８】
本実施形態では、前述したスイングにおける種々の段階のうちトップ付近からインパクトに至るダウンスイング中のコック方向の角遠度ωｙに着目し、時間経過にしたがって当該角速度ωｙを細分化して定量化する。なお、本明細書において「トップ付近」とは、トップ直前の所定時間及びトップ直後の所定時間を含む時間帯を意味しており、具体的には、例えばトップー５０ｍｓから、トップ＋５０ｍｓまでの１００ｍｓの時間帯を意味している。
【００５９】
図１１は、或るスイングにおけるアドレスからインパクトまでの時間（ｓ）とコック方向の角速度ωｙ（ｄｅｇ／ｓ）との関係を示している、本実施形態では、図１１に示されるように、スイングの時間径過にしたがって４つのスイング特微（１）〜（４）を設定し、各スイング特徴を定量化している。
【００６０】
スイング特徴量（１）は、トップ付近のコック方向の角速度ωｙの傾きであり、例えばトップから５０ｍｓ前の角速度ωｙと、トップから５０ｍｓ後の角速度ωｙとの和で表すことができる、このスイング特微量（１）は、前述したシャフトのチップ端から３６インチの測定点における曲げ剛性と相関関係がある。
【００６１】
スイング特徴量（２）は、トップから、角速度ωｙが最大となる時点までの当該角速度ωｙの平均値である。トップからインパクトまでの角速度ωｙにおける最大値を求め、トップから、この最大値となる時点までの角速度ωｙの累積値を、トップから、前記最大値となる時点までの時間で除することにより前記平均値を求めることができる。このスイング特微量（２）は、前述したシャフトのチップ端から２６インチの測定点における曲げ剛性と相関関係がある。
【００６２】
スイング特徴量（３）は、角迭度ωｙが最大となる時点からインパクトまでの当該角速度ωｙの平均値であり、前記最大値となる時点からインパクトまでの角速度ωｙの累積値を、前記最大値となる時点からインパクトまでの時間で除することにより前記平均値を求めることができる。このスイング特微量（３）は、前述したシャフトのチップ端から１６インチの測定点における曲げ剛性と相関関係がある。
【００６３】
スイング特徴量（４）は、トップからインパクトまでの角速度ωｙの平均値であり、トップからインパクトまでの角速度ωｙの累積値を、トップからインパクトまでの時間で除することにより前記平均値を求めることができる。このスイング特徴量（４）は、前述したシャフトのチップ端から６インチの測定点における曲げ剛性と相関関係がある。
【００６４】
以上のスイング特徴量（１）〜（４）は、フィッティングを希望するゴルファーに所定数のボール、例えば５球のボールを試打してもらい、各打球時に算出したスイング特徴量の平均を当該ゴルファーのスイング特徴量と設定することができる。
【００６５】
＜インチ毎のシャフト剛性の算出＞
ついで、算出されたスイング特徴量（１）〜（４）に基づいて、当該ゴルファーに適したインチ毎のシャフト剛性を計算する。この計算は、制御部１０４の算出部１０４１により行われる。この計算に先立って、予め各スイング特徴量について、スイング特微量と好ましいシャフトの曲げ剛性（ＥＩ値）との関係を表す近似式を求めておくことができる。近似式は、種々の方法で算出することができるが、例えば、以下の方法により算出することができる。まず、複数のテスターに試打をしてもらうことでデータを収集し、このデータに基づいて作成する。近似式の信頼性を高める観点からは、テスターの数は多い方が好ましい。本実施形態では、テスターを、ハンディが２０以下の中級者又は上級者とした。各テスターに対し、予め用意した複数のゴルフクラブ（ドライバー）の中から普段使用しているゴルフクラブの重量、長さ及びフレックス（又は調子）を基準にして数本のゴルフクラブを選定し、この数本のゴルフクラブについてそれぞれ数球、例えば６球試打（ミスショットを除く）してそのクラブの適否を判断した。そして、各スイング特徴と、曲げ剛性(ＥＩ値)との関係を示した４種類のグラフを作成し、その関係を近似式（例えば、一次式）で表す。近似式は最小二乗法など種々の方法で作成することができ、条件によって複数の近似式を用いることもできる。
【００６６】
＜インチ毎のＩＦＣの算出＞
続いて、取得したユーザのスイングデータを用い、前記シャフトの軸方向の複数位置について当該シャフトの曲げ剛性に基づいて決定される剛性指標を含むユーザシャフト剛性データを算出する。ここでは、インチ毎に算出されたシャフトのＥＩ値について、例えば前記表１〜４に示される変換表を用いて、インチ毎に、１０段階のＩＦＣのうちいずれかの値を算出する。本実施形態では、前述したように、使用頻度などを考慮して、フィッターがユーザーに提供しようとして用意したシャフトの範囲内で１０段階に分ける方法を採用している。算出されるＩＦＣの例として、３６インチ：５、２６インチ：４、１６インチ：４、６インチ：２を挙げることができる。そして、算出部１０４１が算出したシャフトのインチ毎のＩＦＣは、ユーザシャフト剛性データとして、第２記憶部１０３２ａに記憶される。各ユーザシャフト剛性データは、上述したように、インチ毎に４つのＩＦＣを有している。
【００６７】
＜分析結果の表示＞
上記のように、算出されたユーザシャフト剛性データはディスプレイ１０１に表示される。この処理は、制御部１０４の画面作成部１０４２により行われる。図１２は、算出が終了後に最初に表示される第１画面５１であり、ユーザの操作に応じて、適宜、第２〜第４画面が表示される。まず、第１画面５１から説明する。上記のように、ＩＦＣは、１０段階で評価されるため、４箇所のＩＦＣを算出すると、その組み合わせは、１００００通りになる。したがって、そのいずれかを表示したとしても、ユーザには自身のスイングの傾向がわかりにくい。そこで、本実施形態に係る分析表示装置１０では、代表的なシャフト剛性データであるモデルシャフト剛性データを予め第１記憶部１０３２ａに記憶しておき、ユーザシャフト剛性データが算出されると、これと最も関連性の高いモデルシャフト剛性データを選択して表示するようにしている。モデルシャフト剛性データは、ユーザシャフト剛性データと同様に、インチ毎に４つのＩＦＣを有している。
【００６８】
ここで、モデルシャフト剛性データは、種々のものを規定できるが、例えば、図１３に示す４種類のタイプに分類し例示することができる。モデルシャフト剛性データは、上述したシャフトのインチ毎のＩＦＣを規定したものであり、分析表示装置１０の出力部１０１で表示する際には、同図に示すように、グラフ化したモデル図が表示される。例えば、分類１は、グリップから先端にいくにしたがって、ＩＦＣが高くなる「右上がりタイプ」であり、分類３は、３６インチから２６インチの位置にいくにしたがってＩＦＣが高くなり、２６インチから１６インチまではＩＦＣがほとんど変わらず、１６インチから６インチにいくにしたがってＩＦＣが低くなる「凸フラットタイプ」である。このように、モデルシャフト剛性データは、シャフトの位置との関係で、ユーザに推奨できる理想的なＩＦＣを有する複数のタイプを規定したものである。そして、後述するように、推奨される実際のシャフトは、このモデルシャフト剛性データに基づいて作製されている。
【００６９】
図１２に戻って、第１画面５１について説明する。同図に示すように、第１画面では、モデルシャフト剛性データを図１３に示すような簡易的に表示したモデル図５１１が表示される。すなわち、厳密なシャフトの位置とＩＦＣの数値を示すのではなく、どのタイプであるかを視認しやすいように、模式化されたグラフであるモデル図５１１が表示される。具体的には、横軸がインチ毎の位置であり、縦軸がＩＦＣの折れ線グラフであるが、縦軸は概ね５段階程度の近似的な表示がなされた、簡易な折れ線グラフが表示される。
【００７０】
第１画面５１にモデル図５１１が示されるにあたっては、まず、算出されたユーザシャフト剛性データから対応するモデルシャフト剛性データが選択される必要がある。このような、ユーザシャフト剛性データとモデルシャフト剛性データとのマッチングは、例えば、次のように行うことができる。すなわち、以下の式（３）に示される「一致度」を第１記憶部１０３２ａに記憶されている全てのモデルシャフト剛性データについて計算し、その値が最も小さいモデルシャフト剛性データを第１画面５１に表示する（ｉは測定対象のシャフト位置の数（本実施形態は４）、計算ｉはシャフト位置ｉにおけるユーザシャフト剛性データ（ＩＦＣ値）、データベースｉはシャフト位置ｉにおけるモデルシャフト剛性データ（ＩＦＣ値）を示す）。なお、本明細書における「一致度」は、一致している度合いを意味するのではなく、式（３）から明らかなように、その値が小さいほど計算結果に近い曲げ剛性を有するモデルシャフト剛性データであるということを意味する指標である。一致度がＯとは、計算結果と同じインチ毎の曲げ剛性を有するモデルシャフト剛性データであるということである。
【００７１】
【数１】
2014121412.tif 000007
【００７２】
このように、第１画面５１には、算出されたユーザシャフト剛性データに最も関連性が高いモデルシャフト剛性データの簡易表示であるモデル図５１１が表示される。また、モデル図の下方には、ユーザースイング特徴とそのモデル図の表記と説明がなされている。図１２の例では、「凸〜フラットタイプ」が表示されており、その説明５１２も合わせて表示されている。これにより、フィッティングを受けたユーザは、推奨されるシャフトのタイプと、自身のスイングのタイプを容易に視認することができる。
【００７３】
次に、第２画面５２について、図１４を参照しつつ説明する。第２画面５２は、ユーザシャフト剛性データに基づいて推奨されるシャフトの硬度（フレックス）５２１を表示する。シャフトの硬度の表記としては、一般的にＪ，Ｌ，Ａ，Ｒ，ＳＲ，Ｓ，Ｘ，ＸＸがあるが、この中のいくつかを選択して第２画面５２に表示するとともに、推奨されるシャフトの硬度の表記にはマーカにより着色が施される。
【００７４】
推奨されるシャフトの硬度の選択には種々の方法があるが、例えば、以下のように行うことができる。シャフトの硬度は順式フレックスと相関が高い。すなわち、グリップ側の曲げ剛性との相関が高いことから、上述したスイング特徴量（１）（２）を用いて得られた３６インチと２６インチのＩＦＣの値を用いる。そして、これらＩＦＣ値の合計値に基づいて、第１記憶部１０３２ａに記憶されたフレックスデータを参照し、シャフト硬度を決定する。フレックスデータは、ＩＦＣ値の合計と、シャフト硬度との関係を示すテーブルであり、画面作成部１０４２は、このテーブルを参照して、いずれかのシャフト硬度を選択し、上述したように第２画面５２に表示する。
【００７５】
このように、ユーザシャフト剛性データからは、一般的なシャフトの硬度も推奨するように、画面表示がなされる。また、第２画面５２において、シャフトの硬度の表記の下方には、その説明５２２を表示させることができる。あるいは、図１４に示すように、測定されたヘッドスピードなどの説明を行うこともできる。あるいは、理想的なＩＦＣに対して、重量が合っていないシャフトを出した場合には、その旨を表示するようにすることもできる。
【００７６】
以上の画面では、主として、シャフト剛性データの簡易表示がなされているが、厳密なデータの表示を行うこともできる。例えば、分析表示装置１０の操作者は、入力部１０２を操作することで、第１画面５１または第２画面５２から、図１５に示す第３画面５３に画面表示を切り替えることができる。第３画面５３には、ユーザシャフト剛性データとモデルシャフト剛性データとが正確に示されたグラフ（ユーザデータ分布図、モデルデータ分布図）が表示されている。すなわち、この第３画面５３のグラフでは、横軸がインチ毎の位置、縦軸が１０段階のＩＦＣを示しており、４つのＩＦＣが折れ線グラフとして表示されている。上述したように、第１画面５１では、モデルシャフト剛性データを簡易表示をしたが、第３画面５３では、正確なユーザシャフト剛性データとモデルシャフト剛性データとを重ね合わせて表示している。これにより、ユーザは、自身のユーザシャフト剛性データと理想的なモデルシャフト剛性データとの乖離を視認することができる。
【００７７】
図１６は、第４画面５４を示す図である。第４画面５４は、ユーザのスイングの傾向を示す図であり、縦軸にスイングの特徴、横軸に速さの度合いが示されている。スイングの特徴は、この例では、７つ示されている。ωｙであるコック方向の角速度，ωｘである手の甲方向の角速度、ωｚであるダウンスイング全体におけるローテションの速度、及びこれらの特徴量を用いて計算された値である。また、速さ（角速度）の度合いは５段階で表示され、該当する位置に○が表示される。このような第４画面５４により、ユーザは自身のスイングの特徴を視認することができる。
【００７８】
上述したように、各モデルシャフト剛性データには、対応するシャフトが作製されているため、本実施形態の分析表示装置１０では、ユーザに対して、表示されたモデルシャフト剛性データに基づいて、推奨されるシャフトを表示することもできる。こうして、ユーザのスイングに対応したシャフトを表示することで、フィッティングが完了する。
【００７９】
＜特徴＞
以上のように、本実施形態に係るフィッティング方法によれば、ゴルファーのスイング中の限られた局面だけでなく、トップからインパクトに至るスイング全体を反映させた４つのスイング特徴量に基づいてシャフトを選定することができるので、より詳細なシャフトスペックに基づきフィッティングすることができる。その結果、当該ゴルファーにとって、より性能（飛距離、方向性及び振り易さ。）が優れたシャフトを提供することができる。
【００８０】
そして、本実施形態では、このような特徴を視認できるように、画面作成部１０４２で画面５１〜５４を作成する。特に、本実施形態では、予め規定された複数のモデルシャフト剛性データの中から、算出されたユーザシャフト剛性データに最も関連の高いものを選択し、これを表示する第１画面５１を作成している。このようにすると、予め規定された所定数のシャフト剛性データのうちから理想的なシャフトとして簡易にモデル化された１つが表示されるため、ユーザ自身のスイングの傾向を容易に視認することができる。また、この装置１０の提供者は、表示されたモデルシャフト剛性データに基づいて、ユーザに適したシャフトを提案することができるという利点もある。さらに、詳細なシャフト剛性データを表示させたいときは、画面を第３画面５３に切り替えることができるため、ユーザは、自身のシャフト剛性データと理想的なモデルシャフト剛性データを対比することができる。
【００８１】
また、このフィッティング方法では、クラブのグリップ端にセンサ２を取り付けるだけでスイング特徴を定量化することができ、従来のカメラなどの大掛かりな設備が不要になるので、フィッティングのための設備のコヌトが小さくて済む。さらに、データは無線で分析表示装置１０に配信することができ、設備全体の構成を簡素化することができ、これにより、持ち運びや設置・撒去も簡単に行うことができる。
【００８２】
＜変形例＞
＜１．＞
以上、本発明の一実施形態について説明したが、本発明は、上記実施形態に限定されるものではなく、その趣旨を逸脱しない限りにおいて、種々の変更が可能である。例えば、上記実施形態では、第１画面５１において、４種類のモデルシャフト剛性データのモデル図を示したが、これらはあくまで例示であり、他のモデル図を予め規定しておくことができるのはいうまでもない。また、モデル図は、折れ線グラフのほか、散布図、数値での表記、記号、絵文字、図形など、種々の態様が可能であり、要するに、インチ毎のＩＦＣが模式的に視認できる態様であればよい。
【００８３】
＜２．＞
上記実施形態では、ＩＦＣを１０段階、曲げ剛性の測定点を４点としたが、これに限定されず、第１及び第３画面５１，５３で表示する数は、適宜増減することができる。
【００８４】
＜３．＞
第２画面５２で表示されるフレックスの表記はいくつでもよく、また推奨されるフレックスを視認させるためには、上述したマーカによる着色以外でもよい。例えば、文字のフォント、大きさを変更したり、図形などを付加するなど、種々の方法がある。また、推奨されるシャフトの硬度の算出方法も特には限定されず、ユーザシャフト剛性データを用いて算出する限り、上述したもの以外を用いることができる。
【００８５】
＜４．＞
上記第３画面５３では、ユーザシャフト剛性データを分布図として表示したユーザデータ分布図と、モデルシャフト剛性データを分布図として表示したモデルデータ分布図とを重ね合わせて表示しているが、これに限定されるものではなく、ユーザの操作により、ユーザデータ分布図またはモデルデータ分布図のいずれか一方を表示するようにすることもできる。また、上記実施形態では、各分布図を線で結んだ折れ線グラフとして表示しているが、単なる分布図として表示することもできる。
【００８６】
＜５．＞
第４画面５４も適宜変更することができる。例えば、角速度の段階は５段階に限られない、また、対応する表記も「○」以外でもよい。さらに、スイングの特徴も測定されたデータから算出できるものであれば、特には限定されない。
【００８７】
＜６．＞
また、上記第１及び第２画面５１，５２では、ユーザスイング特徴、シャフトタイプなどの説明を表示しているが、説明の内容は適宜変更することができ、また、説明を表示しないようにすることもできる。この点は、第３及び第４画面５３，５４についても同様であり、画面の説明などを表示することもできる。
＜７．＞
第１〜第４画面５１〜５４は、ディスプレイの画面の中にすべて表示させることもできるし、そのうちのいくつかを選択して表示させることもできる。また、入力部より適宜切り替えながら、表示させることもできる。
【００８８】
＜８．＞
上記実施形態では、４つのスイング特徴量に基づいて、曲げ剛性に基づくＩＦＣという剛性指標を用いたが、シャフトの軸方向の複数位置における曲げ剛性を算出できるのであれば、ＩＦＣに限られず、種々の指標を用いることができる。すなわち、曲げ剛性ＥＩに基づく指標であれば、特には限定されず、ＥＩを直接用いたり、適宜補正して用いることもできる。また、その算出方法も特には限定されない。
【００８９】
＜９．＞
上記実施形態では、ユーザによるゴルフクラブのスイング動作をセンサ２によってサンプリングしたサンプリングデータを、無線通信により、センサ２から無線により角速度を送信しているが、これら限定されず、例えば、センサで記録したデータをＵＳＢメモリなどに保存し、これを分析表示装置１０で読み込むことで、記憶部１０３にデータを保存することもできる。この場合、分析表示装置１０において、ＵＳＢメモリを受けるインターフェースが本発明の取得部となる。
【符号の説明】
【００９０】
１０３  記憶部
１０４１  算出部
１０４２  画面作成部
１０５  通信部（取得部）
【図１】
2014121412.tif 000008
【図２】
2014121412.tif 000009
【図３】
2014121412.tif 000010
【図４】
2014121412.tif 000011
【図５】
2014121412.tif 000012
【図６】
2014121412.tif 000013
【図７】
2014121412.tif 000014
【図８】
2014121412.tif 000015
【図９】
2014121412.tif 000016
【図１０】
2014121412.tif 000017
【図１１】
2014121412.tif 000018
【図１２】
2014121412.tif 000019
【図１３】
2014121412.tif 000020
【図１４】
2014121412.tif 000021
【図１５】
2014121412.tif 000022
【図１６】
2014121412.tif 000023
【図１７】
2014121412.tif 000024
【図１８】
2014121412.tif 000025